(57)【要約】【課題】  カメラの支持構造において、カメラの撮像方向を上下方向および左右方向に調整可能とし使い勝手を向上させる。【解決手段】  カメラ５を保持するカメラ保持部材６は、前部側の周端部１９ｃが前板３のガイドリブ３ｂに対接し、後部１６の中央部１７が操作部材７の対接部７ａに対接している。カメラ保持部材６は、ガイドリブ３ｂと対接部７ａとに挟持されることにより、上下方向および左右方向に揺動自在に支持されている。球面部１７は半球面状に形成され、この球面部１７には無端状に形成された球面カム溝１７ａが設けられ、対接部７ａには球面カム溝１７ａに係入する突起１１が設けられている。【選択図】  図１
2008244783.tif 000002
【特許請求の範囲】
【請求項１】
互いに対向する前板および後板と、前部が前記前板に当接しカメラを保持するカメラ保持部材と、このカメラ保持部材の後部に対接され前記後板に回転自在に支持された操作部材とを備え、前記カメラ保持部材が前記前板と前記操作部材とに挟持されることにより傾動自在に支持されるカメラの支持構造であって、
前記カメラ保持部材の後部を半球面状に形成し、この後部に無端状に形成した球面カム溝を設け、前記操作部材の前記カメラ保持部材の後部に対接する対接面を凹面鏡状に形成し、この対接面に前記球面カム溝に係入する突起を設けたことを特徴とするカメラの支持構造。
【請求項２】
互いに対向する前板および後板と、前部が前記前板に当接しカメラを保持するカメラ保持部材と、このカメラ保持持部材の後部に対接され前記後板に回転自在に支持された操作部材とを備え、前記カメラ保持部材が前記前板と前記操作部材とに挟持されることにより傾動自在に支持されるカメラの支持構造であって、
前記操作部材の前記カメラ保持部材の後部に対接する対接面を凹面鏡状に形成し、この対接面に無端状に形成した球面カム溝を設け、前記カメラ保持部材の後部を半球面状に形成し、この後部に前記球面カム溝に係入する突起を設けたことを特徴とするカメラの支持構造。
【請求項３】
前記操作部材に回転軸と直交する方向に延設され先端部に突起を有する弾性係合片を設け、前記後板に前記弾性係合片の突起が係合する複数の凹部を前記操作部材の回転方向に設けたことを特徴とする請求項１または２記載のカメラの支持構造。
【発明の詳細な説明】
【技術分野】
【０００１】
本発明は、例えば玄関先で来訪者を撮像して室内のモニタ装置で来訪者を視認するためにドアホン内に内蔵して使用されるカメラの支持構造に関するものである。
【背景技術】
【０００２】
従来のカメラの支持構造としては、カメラを支持し上下方向に傾動可能に支持されたカメラ支持台と、このカメラ支持台に設けられた傾動アームと、この傾動アームに係合しながら上下方向へ移動するガイド部材と、このガイド部材に螺合するねじ棒とを備えたものがある（例えば、特許文献１参照）。このような構造において、ねじ棒の操作頭部を六角レンチによって回転させてねじ棒を回転させることにより、ガイド部材が上下動するので傾動アームを介してカメラ支持台が上下方向に傾動しカメラの撮像方向が調整される。
【特許文献１】特開平５−１７６２０７号公報
【発明の開示】
【発明が解決しようとする課題】
【０００３】
上述した従来のカメラの支持構造においては、傾動アームが上下方向にのみ傾動する構造であるため、カメラの撮像方向の調整も上下方向に限られ、左右方向への調整はできないことにより、使用できる範囲が限られてしまい使い勝手が悪いという問題があった。
【０００４】
本発明は上記した従来の問題に鑑みなされたものであり、その目的とするところは、カメラの撮像方向を上下方向および左右方向に調整可能とし使い勝手を向上させたカメラの支持構造を提供するところにある。
【課題を解決するための手段】
【０００５】
この目的を達成するために、請求項１に係る発明は、互いに対向する前板および後板と、前部が前記前板に当接しカメラを保持するカメラ保持部材と、このカメラ保持部材の後部に対接され前記後板に回転自在に支持された操作部材とを備え、前記カメラ保持部材が前記前板と前記操作部材とに挟持されることにより傾動自在に支持されるカメラの支持構造であって、前記カメラ保持部材の後部を半球面状に形成し、この後部に無端状に形成した球面カム溝を設け、前記操作部材の前記カメラ保持部材の後部に対接する対接面を凹面鏡状に形成し、この対接面に前記球面カム溝に係入する突起を設けたものである。
【０００６】
請求項２に係る発明は、互いに対向する前板および後板と、前部が前記前板に当接しカメラを保持するカメラ保持部材と、このカメラ保持持部材の後部に対接され前記後板に回転自在に支持された操作部材とを備え、前記カメラ保持部材が前記前板と前記操作部材とに挟持されることにより傾動自在に支持されるカメラの支持構造であって、前記操作部材の前記カメラ保持部材の後部に対接する対接面を凹面鏡状に形成し、この対接面に無端状に形成した球面カム溝を設け、前記カメラ保持部材の後部を半球面状に形成し、この後部に前記球面カム溝に係入する突起を設けたものである。
【０００７】
請求項３に係る発明は、請求項１または２に係る発明において、前記操作部材に回転軸と直交する方向に延設され先端部に係合突起を有する弾性係合片を設け、前記後板に前記弾性係合片の係合突起が係合する複数の係合凹部を前記操作部材の回転方向に設けたものである。
【発明の効果】
【０００８】
請求項１に係る発明によれば、操作部材を回転させることにより、操作部材の突起が球面カム溝に沿って移動し、カメラ保持部材が上下方向、左右方向に揺動するため、カメラの撮像方向を上下方向、左右方向に調整することができるようになり使い勝手が向上する。
【０００９】
請求項２に係る発明によれば、操作部材を回転させることにより、操作部材の球面カム溝に沿ってカメラ保持部材の突起が移動し、カメラ保持部材が上下方向、左右方向に揺動するため、カメラ撮像方向を上下方向、左右方向に調整することができるようになり使い勝手が向上する。
【００１０】
請求項３に係る発明によれば、比較的使用頻度の高い撮像方向を弾性係合片の係合突起と係合凹部との係合により設定することができるため、調整を短時間で容易に行うことができるとともに、係合突起と係合凹部との係合により設定された撮像方向が維持される。
【発明を実施するための最良の形態】
【００１１】
以下、本発明の実施の形態を図に基づいて説明する。図１は本発明に係るカメラの支持構造を実施したカメラユニットの側断面図、図２は同じく後板を示し、同図（Ａ）は正面図、同図（Ｂ）は同図（Ａ）におけるII（Ｂ）-II（Ｂ） 線断面図、同図（Ｃ）は斜視図、図３は同じく操作部材を示し、同図（Ａ）は正面図、同図（Ｂ）は同図（Ａ）におけるIII（Ｂ）-III（Ｂ） 線断面図、同図（Ｃ）は斜視図、図４は同じくカメラ支持部材を示し、同図（Ａ）は側面図、同図（Ｂ）は同図（Ｃ）におけるIV（Ｂ）-IV（Ｂ） 線断面図、同図（Ｃ）は背面図、同図（Ｄ）は背面側から見た斜視図、図５は同じくカバーを示し、同図（Ａ）は正面図、同図（Ｂ）は同図（Ａ）におけるV（Ｂ）-V（Ｂ） 線断面図である。
【００１２】
図１に全体を符号１で示すカメラユニットは、４本のディスタンスロッド２（２本のディスタンスロッドは図示せず）を介して互いに対向する前板３および後板４と、カメラ５を保持するカメラ保持部材６と、後板４に回転自在に支持される操作部材７とによって概ね構成されている。前板３には、カメラ４のレンズ（図示せず）に対向するように円形に形成された透孔３ａが設けられており、この透孔３ａの端縁には、後述するカバー１９の前部側の周縁部１９ｃが対接され、対接面３ｃが断面湾曲状に形成されたガイドリブ３ｂが透孔３ａの円周方向に等間隔おいて複数本突設されている。また、前板３の内面には、後述するようにカメラ保持部材６が傾動するとき傾動動作を案内する四本の案内スタッド８が突設されており、これら案内スタッド８には、後述するカメラ支持台１５の鍔１５ｃの切欠き１５ｄが摺接する案内部８ａが設けられている。
【００１３】
後板４の中央部には、図２に示すように円筒状に形成された軸支持部９が突設されており、この軸支持部９の一端側に操作孔９ａが設けられている。１０は軸支持部９と同心円状に突設された円筒部であって、この円筒部１０の端面には円周方向に等角度おいて４個の係合凹部１０ａが設けられている。
【００１４】
操作部材７は、図３に示すように、円形で皿状に形成されており、前面側が後述するカメラ支持台１５の後部１６の中央に設けられた球面部１７に対接する対接面７ａを形成している。この対接面７ａは凹面鏡状に形成されており、この対接面７ａには突起１１が突設されている。操作部材７の中央部には、上記した後板４の軸支持部９に回転自在に支持される回転軸としての操作軸１２が突設されており、この操作軸１２の端面には、軸支持部９の操作孔９ａから露呈しドライバー等の先端が係入される操作溝１２ａが設けられている。また、この操作軸１２の胴部には、円周方向に互いに１８０°ずれた位置に一対の弾性係合片１３，１３が互いに反対方向に突設されており、これら弾性係合片１３，１３の先端部には、上記した後板４の係合凹部１０ａに選択的に係合する係合突起１３ａが突設されている。
【００１５】
カメラ保持部材６は、図１に示すように、カメラ５が取り付けられるカメラ支持台１５と、カメラ５を覆うカバー１９と、このカバー１９をカメラ支持台１５に取り付けるための介装板１８とによって構成されている。カメラ支持台１５は、図４に示すように前方に開口１５ａを有する箱状に形成されており、開口端面には接続用突子１５ｂが突設され、開口端縁には四隅に切欠き１５ｄが設けられた鍔１５ｃが突設されている。
【００１６】
カメラ支持台１５の後部１６の四隅には、接続用突子１６ａを有する支柱が突設されており、後部１６の球面部１７は、同図（Ｂ）に示すように、上記した操作部材７の対接面７ａの曲率と同じ曲率を有する半球面状に形成され、この球面部１７の表面には、無端状で楕円形に形成された球面カム溝１７ａが、球面部１７の中心Ｏから間隔Δだけ偏心した位置に設けられている。この球面カム溝１７ａは、後述するように操作部材７を回転させ、操作部材７の突起１１を球面カム溝１７ａ内を移動させたとき、カメラ保持部材６に保持されたカメラ５が、図１中角度αの範囲で上下方向、左右方向に傾動するように形成されている。
【００１７】
カメラ支持台１５の接続用突子１６ａには、図１に示すようにカメラ５の後部が取り付けられており、接続用突子１５ｂには介装板１８が取り付けられている。介装板１８の中央部には、カメラ支持台１５に取り付けられたカメラ５の前部が挿通される挿通孔１８ａが設けられており、端部には一対の小孔１８ｂが設けられている。
【００１８】
カバー１９は、図５に示すように後方が開口したキャップ状に形成されており、前部には、カメラ支持台１５に取り付けられたカメラ５の前部が挿通される挿通孔１９ａが設けられている。このカバー１９の前面側の周縁部には、全周にわたって断面が湾曲状に形成された被対接面１９ｂが設けられている。このカバー１９は、開口端に突設された一対の周縁部１９ｃ，１９ｃを介装板１８の小孔１８ｂ，１８ｂに嵌合することにより、介装板１８を介してカメラ支持台１５に取り付けられる。
【００１９】
このような構成において、カメラ支持台１５の球面部１７を、図１に示すように操作部材７の対接面７ａに対接させることにより、カバー１９の被対接面１９ｂが前板３のガイドリブ３ｂの対接面３ｃに対接され、カメラ保持部材６がこれら対接面７ａと対接面３ｃとによって、図中上下方向および左右方向に揺動自在に支持される。したがって、カメラ保持部材６に保持されているカメラ５は、図中上下方向および左右方向に傾動自在となって、カメラ５の撮像方向が図１中角度αの範囲で上下方向および左右方向に調整可能となる。
【００２０】
また、操作部材７の対接面７ａにカメラ支持台１５の球面部１７を対接させるとき、カメラ支持台１５の球面部１７の球面カム溝１７ａに、操作部材７の対接面７ａの突起１１を係入させる。このように、カメラ保持部材６を組み付けることにより、後板４の操作孔９ａから差し入れたドライバー（図示せず）の先端を操作軸１２の操作溝１２ａに係入させ、操作軸１２を回転させると、操作部材７が操作軸１２と一体的に回転する。
【００２１】
操作部材７が回転することにより、操作部材７の突起１１がカメラ保持部材６の球面カム溝１７ａを移動するため、カメラ保持部材６が図１中上下方向および左右方向に揺動する。したがって、カメラ保持部材６に保持されているカメラ５は、図中上下方向および左右方向に傾動する。このようにカメラ５を上下方向および左右方向に傾動させることにより、カメラ５の撮像方向を上下方向、左右方向に調整することができるようになるから使い勝手を向上させることができる。
【００２２】
また、操作部材７を回転させるとき、操作部材７と一体的に回転する弾性係合片１３の係合突起１３ａが選択的に後板４の係合凹部１０ａに係合し、この係合をクリック感として操作者が認識することができる。したがって、予め弾性係合片１３の係合突起１３ａと係合凹部１０ａとの係合位置を、比較的使用頻度の高いカメラ５の撮像方向に対応するように設定しておくことにより、調整を短時間で容易に行うことができるとともに、係合突起１３ａと係合凹部１０ａとの係合により設定された撮像方向が維持される。
【００２３】
なお、本実施の形態においては、カメラ保持部材６の後部１６の球面部１７に球面カム溝１７ａを設け、操作部材７の対接面７ａに突起１１を設けたが、操作部材７の対接面７ａに球面カム溝を設け、カメラ保持部材６の後部１６の球面部１７に突起を設けるようにしても、上述した作用効果が得られる。
【図面の簡単な説明】
【００２４】
【図１】本発明に係るカメラの支持構造を実施したカメラユニットの側断面図である。
【図２】本発明に係るカメラの支持構造における後板を示し、同図（Ａ）は正面図、同図（Ｂ）は同図（Ａ）におけるII（Ｂ）-II（Ｂ） 線断面図、同図（Ｃ）は斜視図である。
【図３】本発明に係るカメラの支持構造における操作部材を示し、同図（Ａ）は正面図、同図（Ｂ）は同図（Ａ）におけるIII（Ｂ）-III（Ｂ） 線断面図、同図（Ｃ）は斜視図である。
【図４】本発明に係るカメラの支持構造におけるカメラ支持部材を示し、同図（Ａ）は側面図、同図（Ｂ）は同図（Ｃ）におけるIV（Ｂ）-IV（Ｂ） 線断面図、同図（Ｃ）は背面図、同図（Ｄ）は背面側から見た斜視図である。
【図５】本発明に係るカメラの支持構造におけるカバーを示し、同図（Ａ）は正面図、同図（Ｂ）は同図（Ａ）におけるV（Ｂ）-V（Ｂ） 線断面図である。
【符号の説明】
【００２５】
１…カメラユニット、３…前板、４…後板、５…カメラ、６…カメラ保持部材、７…操作部材、７ａ…対接面、１０ａ…係合凹部、１２…操作軸、１３…弾性係合片、１３ａ…係合突起、１５…カメラ支持台、１６…後部、１７…球面部、１７ａ…球面カム溝、１９…カバー、１９ｂ…被対接面。
【図１】
2008244783.tif 000003
【図２】
2008244783.tif 000004
【図３】
2008244783.tif 000005
【図４】
2008244783.tif 000006
【図５】
2008244783.tif 000007